(57)【要約】      （修正有）【課題】スライドショーにおいて補正前後の画像が連続して表示されないようにする。【解決手段】画像処理装置は、表示部と、受付部と、特徴領域検出部と、補正部と、識別情報付加部と、第１記録処理部と、選択部と、表示制御部とを備える。表示部は、メモリに記録された画像を表示する。受付部は、画像の特徴領域を補正する指示入力を受け付ける。特徴領域検出部は、特徴領域の有無を検出する。補正部は、特徴領域を補正する。識別情報付加部は、第１識別情報をその補正前の画像に付加すると共に、第２識別情報をその補正後の画像に付加する。第１記録処理部は、第１識別情報が付加された画像をメモリに再記録すると共に、第２識別情報が付加された画像をメモリに記録する。選択部は、第１識別情報と第２識別情報とに基づいて、表示部に順次表示させる画像を選択する。表示制御部は、選択部が選択した画像を表示部に順次表示させる表示態様を制御する。【選択図】図１
2013161318.tif 000002
【特許請求の範囲】
【請求項１】
メモリに記録された画像を表示する表示部と、
前記画像の特徴領域を補正する指示入力を受け付ける受付部と、
前記指示入力に応じて、前記特徴領域の有無を検出する特徴領域検出部と、
前記特徴領域が検出された場合、該特徴領域を補正する補正部と、
補正前の画像を識別する第１識別情報を該補正前の画像に付加すると共に、補正後の画像を識別する第２識別情報を該補正後の画像に付加する識別情報付加部と、
前記第１識別情報が付加された画像を前記メモリに再記録すると共に、前記第２識別情報が付加された画像を前記メモリに記録する第１記録処理部と、
前記第１識別情報と前記第２識別情報とに基づいて、前記表示部に順次表示させる画像を選択する選択部と、
前記選択部が選択した画像を前記表示部に順次表示させる表示態様を制御する表示制御部と、
を備えることを特徴とする画像処理装置。
【請求項２】
請求項１に記載の画像処理装置において、
前記特徴領域は、人物の顔であることを特徴とする画像処理装置。
【請求項３】
請求項１又は請求項２に記載の画像処理装置において、
前記メモリに記録された画像を投影面に向けて投影するプロジェクタ部をさらに備え、
前記選択部は、前記第１識別情報と前記第２識別情報とに基づいて、前記投影面に順次表示させる画像を選択し、
前記表示制御部は、前記選択部が選択した画像を前記投影面に順次表示させる表示態様を制御することを特徴とする画像処理装置。
【請求項４】
請求項１から請求項３の何れか１項に記載の画像処理装置において、
前記表示態様は、複数の画像を順番に再生させるスライドショー形式の態様であって、
前記選択部は、前記第２識別情報が付加された画像を非選択とすることを特徴とする画像処理装置。
【請求項５】
請求項１から請求項３の何れか１項に記載の画像処理装置において、
前記表示態様は、ユーザの指示入力による順送りの形式の態様であって、
前記選択部は、前記第１識別情報が付加された画像と、前記第２識別情報が付加された画像とを関連付けて選択し、
前記表示制御部は、前記選択部が関連付けた補正前後の画像を順送りの形式で表示させることを特徴とする画像処理装置。
【請求項６】
被写体の像を撮像し、画像を生成する撮像素子と、
前記画像をメモリに記録する第２記録処理部と、
請求項１から請求項５の何れか１項に記載の画像処理装置と、
を備えることを特徴とする電子カメラ。
【請求項７】
請求項６に記載の電子カメラ１において、
前記第１識別情報が付加された画像と前記第２識別情報が付加された画像とを含む複数の画像のデータを外部に送信する通信部をさらに備えることを特徴とする電子カメラ。
【請求項８】
メモリに記録された画像が表示部により表示され、前記画像の特徴領域を補正する指示入力を受け付ける受付処理と、
前記指示入力に応じて、前記特徴領域の有無を検出する特徴領域検出処理と、
前記特徴領域が検出された場合、該特徴領域を補正する補正処理と、
補正前の画像を識別する第１識別情報を該補正前の画像に付加すると共に、補正後の画像を識別する第２識別情報を該補正後の画像に付加する識別情報付加処理と、
前記第１識別情報が付加された画像を前記メモリに再記録すると共に、前記第２識別情報が付加された画像を前記メモリに記録する第１記録処理と、
前記第１識別情報と前記第２識別情報とに基づいて、前記表示部に順次表示させる画像を選択する選択処理と、
前記選択処理が選択した画像を前記表示部に順次表示させる表示態様を制御する表示制御処理とをコンピュータに実行させることを特徴とするプログラム。
【発明の詳細な説明】
【技術分野】
【０００１】
本発明は、画像処理装置及び電子カメラ、並びにプログラムに関する。
【背景技術】
【０００２】
従来、電子カメラで撮影された複数の画像を順番に表示するスライドショー機能を有する画像表示装置が知られている（例えば、特許文献１参照）。また、電子カメラで撮影された画像に対して、顔等の特徴領域に美肌補正等の画像処理を行なう画像処理装置が知られている（例えば、特許文献２参照）。
【先行技術文献】
【特許文献】
【０００３】
【特許文献１】特開２００６−３４９９４３号公報
【特許文献２】特表２０１０−５０８５７１号公報
【発明の概要】
【発明が解決しようとする課題】
【０００４】
ところで、上記美肌補正が施された画像を含む複数の画像を上記の画像表示装置でスライドショーを行なった場合、例えば、補正前後の画像が連続して表示されることにより画像の再生が煩雑になり、ユーザの利便性を損なうおそれが生じる。
【０００５】
そこで、本発明は、上記事情に鑑み、ユーザの利便性を考慮した画像表示手段を提供することを目的とする。
【課題を解決するための手段】
【０００６】
第１の発明に係る画像処理装置は、表示部と、受付部と、特徴領域検出部と、補正部と、識別情報付加部と、第１記録処理部と、選択部と、表示制御部とを備える。表示部は、メモリに記録された画像を表示する。受付部は、画像の特徴領域を補正する指示入力を受け付ける。特徴領域検出部は、指示入力に応じて、特徴領域の有無を検出する。補正部は、特徴領域が検出された場合、その特徴領域を補正する。識別情報付加部は、補正前の画像を識別する第１識別情報をその補正前の画像に付加すると共に、補正後の画像を識別する第２識別情報をその補正後の画像に付加する。第１記録処理部は、第１識別情報が付加された画像をメモリに再記録すると共に、第２識別情報が付加された画像をメモリに記録する。選択部は、第１識別情報と第２識別情報とに基づいて、表示部に順次表示させる画像を選択する。表示制御部は、選択部が選択した画像を表示部に順次表示させる表示態様を制御する。
【０００７】
第２の発明は、第１の発明において、特徴領域は、人物の顔である。
【０００８】
第３の発明は、第１又は第２の発明において、プロジェクタ部をさらに備える。プロジェクタ部は、メモリに記録された画像を投影面に向けて投影する。選択部は、第１識別情報と第２識別情報とに基づいて、投影面に順次表示させる画像を選択する。表示制御部は、選択部が選択した画像を投影面に順次表示させる表示態様を制御する。
【０００９】
第４の発明は、第１から第３の何れか１の発明において、表示態様は、複数の画像を順番に再生させるスライドショー形式の態様である。選択部は、第２識別情報が付加された画像を非選択とする。
【００１０】
第５の発明は、第１から第３の何れか１の発明において、表示態様は、ユーザの指示入力による順送りの形式の態様であって、選択部は、第１識別情報が付加された画像と、第２識別情報が付加された画像とを関連付けて選択する。表示制御部は、選択部が関連付けた補正前後の画像を順送りの形式で表示させる。
【００１１】
第６の発明に係る電子カメラは、被写体の像を撮像し、画像を生成する撮像素子と、
画像をメモリに記録する第２記録処理部と、請求項１から請求項５の何れか１項に記載の画像処理装置とを備える。
【００１２】
第７の発明は、第６の発明において、通信部をさらに備える。通信部は、第１識別情報が付加された画像と第２識別情報が付加された画像とを含む複数の画像のデータを外部に送信する。
【００１３】
第８の発明に係るプログラムは、受付処理と、特徴領域検出処理と、補正処理と、識別情報付加処理と、第１記録処理と、選択処理と、表示制御処理とをコンピュータに実行させる。受付処理は、メモリに記録された画像が表示部により表示され、画像の特徴領域を補正する指示入力を受け付ける。特徴領域検出処理は、指示入力に応じて、特徴領域の有無を検出する。補正処理は、特徴領域が検出された場合、その特徴領域を補正する。識別情報付加処理は、補正前の画像を識別する第１識別情報をその補正前の画像に付加すると共に、補正後の画像を識別する第２識別情報をその補正後の画像に付加する。第１記録処理は、第１識別情報が付加された画像をメモリに再記録すると共に、第２識別情報が付加された画像をメモリに記録する。選択処理は、第１識別情報と第２識別情報とに基づいて、表示部に順次表示させる画像を選択する。表示制御処理は、選択処理が選択した画像を表示部に順次表示させる表示態様を制御する。
【発明の効果】
【００１４】
本発明によれば、ユーザの利便性を考慮した画像表示手段を提供することができる。
【図面の簡単な説明】
【００１５】
【図１】第１実施形態における電子カメラ１の構成例を示す図
【図２】電子カメラ１の筐体の正面図及び背面図の一例を示す図
【図３】画像ファイルの一例を模式的に示す図
【図４】記録媒体３０に記録された画像の一例を示す図
【図５】顔補正モードにおける電子カメラ１の動作の一例を示すフローチャート
【図６】スライドショーモードにおける電子カメラ１の動作の一例を示すフローチャート
【図７】図５に示すフローの処理後に記録媒体３０に記録されている画像の一例を示す図
【図８】表示制御部２１ｆによる表示態様の一例を示す図
【図９】第２実施形態における画像処理装置５０の構成例を示す図
【発明を実施するための形態】
【００１６】
（第１実施形態）
以下、図面に基づいて本発明の実施の形態を詳細に説明する。図１は、第１実施形態における電子カメラ１の構成例を示す図である。図２は、電子カメラ１の筐体の正面図及び背面図の一例を示す図である。第１実施形態の電子カメラ１は、プロジェクタ機能を搭載しており、プロジェクタ機能を用いてスライドショーを行なうことができる（詳細は後述する）。
【００１７】
電子カメラ１は、図１に示す通り、撮像光学系１０と、撮像素子１１と、信号処理部１２と、ＲＡＭ（Ｒａｎｄｏｍ  Ａｃｃｅｓｓ  Ｍｅｍｏｒｙ）１３と、画像処理部１４と、フラッシュメモリ１５と、記録インターフェース部（以下「記録Ｉ／Ｆ部」という）１６と、表示モニタ１７と、通信部１８と、操作部１９と、レリーズ釦２０と、ＣＰＵ（Ｃｅｎｔｒａｌ  Ｐｒｏｃｅｓｓｉｎｇ  Ｕｎｉｔ）２１と、プロジェクタ２２とを備える。
【００１８】
このうち、信号処理部１２、ＲＡＭ１３、画像処理部１４、フラッシュメモリ１５、記録Ｉ／Ｆ部１６、表示モニタ１７、通信部１８及びＣＰＵ２１は、データバス２３を介して互いに接続されている。
【００１９】
また、電子カメラ１の筐体の正面図（図２（ａ））に示す通り、筐体の正面には、プロジェクタ２２から投影光を出射する投影窓２５と、撮像光学系１０に入射光を導く入射窓２６とが備えられている。プロジェクタ２２が出射する投影光は、投影窓２５から電子カメラ１の前方に向けて出射され、スクリーン、壁等に投影される。また、電子カメラ１の筐体の上面には、レリーズ釦２０と電源ボタン２４とが備えられている。
【００２０】
図１の説明に戻り、撮像光学系１０は、ズームレンズと、フォーカスレンズとを含む複数のレンズ群で構成されている。なお、簡単のため、図１では、撮像光学系１０を１枚のレンズとして図示する。
【００２１】
撮像素子１１は、撮像光学系１０を通過した被写体の像を撮像し、画像信号を生成する。そして、撮像素子１１が出力する画像信号は、信号処理部１２に入力される。なお、撮像素子１１は、ＣＣＤ（Ｃｈａｒｇｅ  Ｃｏｕｐｌｅｄ  Ｄｅｖｉｃｅ）型又はＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）型のカラーイメージセンサである。また、撮像素子１１の電荷蓄積時間及び画像信号の読み出しは、タイミングジェネレータ（不図示）によって制御される。
【００２２】
信号処理部１２は、撮像素子１１が生成する画像信号に対して信号処理を施す回路である。この信号処理部１１は、画像信号のゲイン調整やＡ／Ｄ変換などを行なう。この信号処理部１２が出力する画像信号は、ＲＧＢ信号の画像データとしてＲＡＭ１３に一時的に記録される。ＲＡＭ１３は、画像データを一時的に記録するバッファメモリである。
【００２３】
なお、画像データは、例えば、Ｅｘｉｆ（Ｅｘｃｈａｎｇｅａｂｌｅ  Ｉｍａｇｅ  Ｆｉｌｅ  Ｆｏｒｍａｔ）形式のファイルフォーマットに準拠している。
【００２４】
画像処理部１４は、ＲＡＭ１３に記録されている画像データを読み出し、必要に応じて各種の画像処理（例えば、輪郭強調処理、色補間処理等）を施す。フラッシュメモリ１５は、電子カメラ１の制御を行なうプログラム等を予め記憶している不揮発性のメモリである。ＣＰＵ２１は、このプログラムに従い、一例として後述する図５、図６に示すフローの処理を実行する。
【００２５】
記録Ｉ／Ｆ部１６には、着脱自在の記録媒体３０を接続するためのコネクタ（不図示）が形成されている。そして、記録Ｉ／Ｆ部１６は、ＣＰＵ２１からの指示により、そのコネクタに接続された記録媒体３０にアクセスして画像の記録処理等を行なうインターフェースを提供する。この記録媒体３０は、例えば、不揮発性のメモリカードである。図１では、コネクタに接続された後の記録媒体３０を示している。
【００２６】
表示モニタ１７は、例えば、画像や電子カメラ１の操作メニュー等を表示する。表示モニタ１７には、液晶モニタ等を適宜選択して用いることができる。通信部１８は、例えば、無線ＬＡＮ（Ｌｏｃａｌ  Ａｒｅａ  Ｎｅｔｗｏｒｋ）通信により、外部の通信機器と通信を行なう通信インターフェースを提供する。通信部１８は、第１識別情報が付加された画像と第２識別情報が付加された画像とを含む複数の画像のデータを外部の通信機器に送信する。これにより、通信機器は、電子カメラ１からの画像を容易に取得できる。この通信機器は、例えば画像再生機能を有する。詳細については、第２実施形態で説明する。
【００２７】
操作部１９は、電子カメラ１を操作するための指示入力を受け付ける。例えば、操作部１９は、後述する顔補正モードやスライドショーモードの指示入力を受け付ける。
【００２８】
レリーズ釦２０は、半押し操作（撮像前におけるオートフォーカス（ＡＦ）や自動露出（ＡＥ）等の撮像準備動作）の指示入力と全押し操作（撮像動作開始）との指示入力とを受け付ける。
【００２９】
ここで、電子カメラ１の筐体の背面図（図２（ｂ））に示す通り、筐体の背面には、表示モニタ１７と、操作部１９として、広角ズームボタン１９ａと、望遠ズームボタン１９ｂと、モードスイッチ１９ｃと、メニューボタン１９ｄと、十字キー１９ｅとが備えられている。
【００３０】
広角ズームボタン１９ａは、焦点距離を広角側に変更し、望遠ズームボタン１９ｂは、焦点距離を望遠側に変更する。モードスイッチ１９ｃは、撮影モード若しくは再生モードに切り替える操作をユーザから受け付ける。メニューボタン１９ｄは、メニュー画面を立ち上げるための操作をユーザから受け付ける。十字キー１９ｅは、電子カメラ１の操作メニューにおける設定条件等の項目選択又は項目決定をユーザから受け付ける。十字キー１９ｅは、上下左右の４方向に配置されている選択ボタン１９ｇと中央に操作可能な決定ボタン１９ｆを有する。
【００３１】
図１の説明に戻り、ＣＰＵ２１は、電子カメラ１の統括的な制御を行なうプロセッサである。ＣＰＵ２１は、フラッシュメモリ１５に予め格納されたプログラムを実行することにより電子カメラ１の各部を制御する。ＣＰＵ２１は、上記のプログラムを実行することにより、電子カメラ１の各部の制御等を行なう。また、ＣＰＵ２１は、顔検出部２１ａ、補正部２１ｂ、識別情報付加部２１ｃ、第１記録処理部２１ｄ、選択部２１ｅ、表示制御部２１ｆ及び第２記録処理部２１ｇとしても機能する。なお、第１実施形態では、例えば、後述する図５、図６に示すフローの処理で使用するプログラムを記録媒体３０に記録して、この記録媒体３０に記録されたプログラムをフラッシュメモリ１５に記録（インストール）しても良い。これにより、新たな機能を追加するファームウエアとして、そのプログラムを適用することが可能となる。
【００３２】
顔検出部２１ａは、操作部１９を介して受け付けた指示入力に応じて、顔領域の有無を検出する。具体的には、顔検出部２１ａは、画像の画像信号の輝度分布に基づいて、肌色領域を顔の領域として抽出する。顔検出部２１ａは、顔を検出した場合、さらに顔の特徴部位を検出する。具体的には、顔検出部２１ａは、例えば、特開２００１−１６５７３号公報等に記載された特徴点抽出処理によって顔の特徴点を抽出する。そして、顔検出部２１ａは、特徴点に基づいて、例えば、眉、目、鼻、唇等の顔の特徴部位を画像から検出する。
【００３３】
補正部２１ｂは、顔を補正する顔補正モードの実行時において、操作部１９を介して受け付けた指示入力に応じて画像の特徴領域の部分を補正する。この特徴領域の補正は、被写体の顔の目や唇等の特徴部位を美しく見せるための補正処理である。なお、補正部２１ｂは、例えば以下に示す少なくとも１つの補正処理を行なう。
（１）色補正
補正部２１ｂは、例えば、色相、彩度、明度のうち少なくとも１つのパラメータを変更する色補正を行なう。具体的には、補正部２１ｂは、例えば、上瞼の色に青味を増す色補正や、頬の色に赤味を増す色補正を行なう。或いは、補正部２１ｂは、例えば、唇の色に赤味を増す色補正を行なう。或いは、補正部２１ｂは、例えば、唇の色をユーザの好みの色に補正する。
（２）形状補正
補正部２１ｂは、特徴領域内の特徴部位の形状補正を行なう。例えば、補正部２１ｂは、目の領域を拡大する補正を行なう。具体的には、補正部２１ｂは、目の領域の画像の画素を補間する補間処理を行なう。この補間処理は、例えば、バイキュービック法といった公知の補間処理により実現される。補正部２１ｂは、バイキュービック法を用いた場合、拡大によって生じる新たな画素の色を隣接する画素の色の平均値から作成する。或いは、補正部２１ｂは、顔の領域を縮小する補正を行なう。具体的には、補正部２１ｂは、顔検出部２１ａが検出した顔の輪郭線を補正して肌色部分を背景の色に置換する等して顔の領域を縮小する補正を行なう。また、補正部２１ｂは、いわゆるキャッチライト（瞳の領域中の輝きの形状）を目の領域に加える補正を行っても良い。
（３）平滑化補正（美肌補正）
補正部２１ｂは、頬の肌色領域に存在するノイズ成分を低減化する。例えば、補正部２１ｂは、頬の肌色領域のノイズ成分を低減化するローパスフィルタ等を用いてノイズの低減化処理を行なう。補正部２１ｂは、このノイズの低減化処理により、被写体のニキビ等の凹凸感、肌荒れ等が目立ちにくい好ましい画像を生成することができる。
【００３４】
なお、上記（１）〜（３）の補正処理は一例であって、補正部２１ｂは、被写体の顔の特徴部位を美しく見せるための補正処理であれば、他の補正処理をさらに採用しても良い。
【００３５】
識別情報付加部２１ｃは、補正前の画像を識別する第１識別情報をその補正前の画像に付加すると共に、補正後の画像を識別する第２識別情報をその補正後の画像に付加する。具体的には、識別情報付加部２１ｃは、Ｅｘｉｆ形式の画像データのヘッダファイルに第１識別情報又は第２識別情報を付加する。
【００３６】
図３は、画像ファイルの一例を模式的に示す図である。図３に示す通り、画像ファイルのデータ構造は、ヘッダ領域と画像データ領域とを有する。ヘッダ領域には、例えば、撮影日時、画素数、撮影条件等の撮影情報が書き込まれる。さらに、ヘッダ領域には、メーカ側で定義できる情報として、メーカノートのタグが備えられている。識別情報付加部２１ｃは、例えばタグの識別情報（識別ＩＤ）の欄に第１識別情報、第２識別情報を書き込む。なお、第１識別情報や第２識別情報は、識別できれば良いので、例えば、異なる数値であって良い。例えば、タグの識別情報の欄には、初期状態では、‘０’の値が書き込まれている。この‘０’の値は、補正がされていない画像を意味する。また、補正部２１ｂにより補正がされた場合、識別情報付加部２１ｃは、補正前の画像データのタグの識別情報の欄に‘１’の値を書き込む。この‘１’の値は、補正前の画像を意味する。また、識別情報付加部２１ｃは、補正後の画像データのタグの識別情報の欄に‘２’の値を書き込む。この‘２’の値は、補正後の画像を意味する。
【００３７】
第１記録処理部２１ｄは、第１識別情報が付加された画像を例えば記録媒体３０に再記録（再保存）する。また、第１記録処理部２１ｄは、第２識別情報が付加された画像を記録媒体３０に記録する。
【００３８】
選択部２１ｅは、第１識別情報と第２識別情報とに基づいて、表示モニタ１７やプロジェクタ２２の投影面（スクリーン）に順次表示させる画像を選択する。一例として、プロジェクタ２２を用いて複数の画像を順番に再生させるスライドショーを行なう場合、選択部２１ｅは、先ず、記録媒体３０内の指定されたフォルダ内の画像データ毎に識別情報（識別ＩＤ）を読み出す。そして、選択部２１ｅは、識別情報が、‘０’又は‘１’の値の画像をプロジェクタ２２の投影面に順次表示させる画像として選択する。
【００３９】
表示制御部２１ｆは、選択部２１ｅが選択した画像を表示モニタ１７やプロジェクタ２２の投影面に順次表示させる表示態様を制御する。具体的には、表示制御部２１ｆは、スライドショーモードとして、例えば、スライドショー形式の表示態様を制御する。この場合、表示制御部２１ｆは、例えば、複数の画像を予め設定された時間間隔で表示モニタ１７やプロジェクタ２２の投影面に順次表示させる。また、表示制御部２１ｆは、ユーザの指示入力による順送りの形式の表示態様を制御する。なお、順送りの形式の表示態様の場合、選択部２１ｅは、第１識別情報が付加された画像と、第２識別情報が付加された画像とを関連付けて選択する。表示制御部２１ｆは、選択部２１ｅが関連付けた補正前後の画像を順送りの形式で表示モニタ１７に表示させる。
【００４０】
第２記録処理部２１ｇは、レリーズ釦２０が全押しされることにより生成した画像を記録媒体３０に記録する。
【００４１】
プロジェクタ２２は、例えば記録媒体３０に記録された画像を投影面に向けて投影する装置である。プロジェクタ２２は、ミラー２２ａと、投影光学系２２ｂと、投影部２２ｃと、投影制御部２２ｄとを備える。ミラー２２ａは、図中、一点鎖線で示す光軸上に回動自在に設けられる。投影光学系２２ｂは、ズームレンズと、フォーカスレンズとを含む複数のレンズ群で構成されている。なお、簡単のため、図１では、撮像光学系１０を１枚のレンズとして図示する。投影部２２ｃは、ＬＥＤ（Ｌｉｇｈｔ  Ｅｍｉｔｔｉｎｇ  Ｄｉｏｄｅ）光源（不図示）と液晶パネル（不図示）とを有する。
【００４２】
投影制御部２２ｄは、ミラー２２ａ、投影光学系２２ｂ及び投影部２２ｃを制御する。具体的には、投影制御部２２ｄは、ＣＰＵ２１からの指示に応じて投影部２２ｃ内のＬＥＤ光源を駆動させる。これにより、ＬＥＤ光源は、投影部２２ｃ内の液晶パネルを照明する。投影制御部２２ｄは、ＣＰＵ２１を介して送られてくる画像データに応じて、液晶パネルを駆動させる。具体的には、投影制御部２２ｄは、液晶パネル内の液晶層に対して画像信号に応じた電圧を画素毎に印加する。電圧が印加された液晶層は、液晶分子の配列が変わりことにより、光の透過率が変化する。さらに、投影制御部２２ｄは、画像信号に応じてＬＥＤ光源からの光を変調する。これにより、液晶パネルは、画像信号に応じた光像を生成する。投影光学系２２ｂは、液晶パネルから出射される光像に基づく投影光をミラー２２ａへ導く。ミラー２２ａは、投影窓２５からスクリーン等の投影面へ向けて投影光を出射する。
【００４３】
次に、第１実施形態の電子カメラ１の動作の一例を説明する。第１実施形態では、顔補正モードの指示入力を受け付けることにより実行されるフローチャートと、スライドショーモードの指示入力を受け付けることにより実行されるフローチャートとに分けて説明する。
【００４４】
また、第１実施形態では、既に記録媒体３０に撮影された複数の画像が記録されていることを前提とする。すなわち、ＣＰＵ２１の第２記録処理部２１ｇは、レリーズ釦２０が全押しされることにより生成した画像を記録媒体３０に記録する。具体的には、ＣＰＵ２１は、半押し操作の指示入力により、絞り値、撮像素子１１での電荷蓄積時間（シャッタスピード）、信号処理部１２のゲイン（ＩＳＯ感度）等の撮影パラメータをそれぞれ設定する。その後、ＣＰＵ２１は、全押し操作の指示入力により、撮像素子１１を駆動してアナログの画像信号を生成させる。信号処理部１２は、アナログの画像信号のＡ／Ｄ変換等を行なう。この信号処理部１２が出力するデジタルの画像信号は、ＲＡＭ１３に記録用の画像データとして一旦記録される。そして、画像処理部１４は、ＲＡＭ１３に記録されている画像データを読み出し、必要に応じて各種の画像処理（例えば、輪郭強調処理、色補間処理等）を施す。そして、第２記録処理部２１ｇは、記録Ｉ／Ｆ部１６を介して、画像を記録媒体３０に記録する。
【００４５】
図４は、記録媒体３０に記録された画像の一例を示す図である。図４では、一例として、所定のフォルダに５枚の画像が記録されていることを模式的に表している。ここで、各々の画像データの識別情報（識別ＩＤ）の欄には、‘０’の値が書き込まれている。
【００４６】
図５は、顔補正モードにおける電子カメラ１の動作の一例を示すフローチャートである。ここで、図１に示す操作部１９が顔補正モードの指示入力を受け付けることにより、ＣＰＵ２１は、図５に示すフローの処理を開始させる。
【００４７】
ステップＳ１０１：ＣＰＵ２１は、ｎ枚目（フローの処理の開始時に、ｎ＝１が設定される）の画像を表示モニタ１７に表示させる。具体的には、ＣＰＵ２１は、図４に示した通り、記録媒体３０から１枚目（ｎ＝１）の画像を読み出して、表示モニタ１７に表示させる。
【００４８】
ステップＳ１０２：ＣＰＵ２１は、操作部１９を介してユーザからの画像送り操作の指示入力の有無を検出する。具体的には、ＣＰＵ２１は、数秒間、図２（ｂ）に示す選択ボタン１９ｇの上下左右のうちの右ボタンが押下されるか否かを検出する。例えば、顔補正モードでは、右ボタンの押下をユーザからの画像送り操作の指示入力とする。画像送り操作の指示入力を検出しなかった場合（ステップＳ１０２：Ｎｏ）、ＣＰＵ２１は、ステップＳ１０３の処理に移行する。
【００４９】
一方、画像送り操作の指示入力を検出した場合（ステップＳ１０２：Ｙｅｓ）、ＣＰＵ２１は、ステップＳ１１１の処理に移行する。この場合、次の画像が有る場合（ステップＳ１１１：Ｙｅｓ）、ＣＰＵ２１は、次の画像の表示ため、ｎ＝ｎ＋１に設定する（ステップＳ１１２）。そして、ＣＰＵ２１は、ステップＳ１０１に戻り、次の画像を表示モニタ１７に表示させる。一方、次の画像が無い場合（ステップＳ１１１：Ｙｅｓ）、ＣＰＵ２１は、図５に示すフローの処理を終了させる。
【００５０】
ステップＳ１０３：ＣＰＵ２１は、操作部１９を介してユーザからの顔補正の指示入力の有無を検出する。具体的には、ＣＰＵ２１は、数秒間、図２（ｂ）に示す選択ボタン１９ｇの上ボタンが押下されるか否かを検出する。例えば、顔補正モードでは、上ボタンの押下をユーザからの顔補正の指示入力とする。
【００５１】
顔補正の指示入力を検出しなかった場合（ステップＳ１０３：Ｎｏ）、ＣＰＵ２１は、ステップＳ１０２の処理に戻る。一方、顔補正の指示入力を検出した場合（ステップＳ１０３：Ｙｅｓ）、ＣＰＵ２１は、ステップＳ１０４の処理に移行する。
【００５２】
ステップＳ１０４：ＣＰＵ２１の顔検出部２１ａは、顔検出処理を行なう。具体的には、顔検出部２１ａは、画像の画像信号の輝度分布に基づいて、肌色領域を顔の領域として抽出する。そして、ＣＰＵ２１は、ステップＳ１０５の処理に移行する。
【００５３】
ステップＳ１０５：ＣＰＵ２１は、顔検出の有無を判定する。顔の検出がされなかった場合（ステップＳ１０５：Ｎｏ）、ＣＰＵ２１は、ステップＳ１０２の処理に戻る。一方、顔の検出がされた場合（ステップＳ１０５：Ｙｅｓ）、ＣＰＵ２１は、ステップＳ１０６の処理に移行する。
【００５４】
ステップＳ１０６：ＣＰＵ２１の補正部２１ｂは、顔の補正処理を行なう。具体的には、ＣＰＵ２１は、操作部１９を介して、（１）色補正、（２）形状補正、（３）平滑化補正のうち少なくとも何れか１つの補正を受け付ける。そして、補正部２１ｂは、指定された顔の補正処理を行なう。
【００５５】
ステップＳ１０７：ＣＰＵ２１の識別情報付加部２１ｃは、第１識別情報をその補正前の画像に付加する。具体的には、識別情報付加部２１ｃは、画像データのヘッダファイルにおけるタグの識別情報に第１識別情報（‘１’の値）を書き込む。これにより、タグの識別情報は、‘０’から‘１’の値に書き換えられる。そして、ＣＰＵ２１は、ステップＳ１０８の処理に移行する。
【００５６】
ステップＳ１０８：識別情報付加部２１ｃは、第２識別情報をその補正後の画像に付加する。具体的には、識別情報付加部２１ｃは、画像データのヘッダファイルにおけるタグの識別情報に第２識別情報（‘２’の値）を書き込む。そして、ＣＰＵ２１は、ステップＳ１０９の処理に移行する。
【００５７】
ステップＳ１０９：ＣＰＵ２１の第１記録処理部２１ｄは、第１識別情報が付加された画像を記録媒体３０に再記録する。そして、ＣＰＵ２１は、ステップＳ１１０の処理に移行する。
【００５８】
ステップＳ１１０：第１記録処理部２１ｄは、第２識別情報が付加された画像を記録媒体３０に記録する。そして、ＣＰＵ２１は、ステップＳ１１１の処理に移行する。
【００５９】
ステップＳ１１１：ＣＰＵ２１は、次の画像があるか否かを判定する。次の画像が有りの場合（ステップＳ１１１：Ｙｅｓ）、ＣＰＵ２１は、上述した通り、次の画像の表示ため、ｎ＝ｎ＋１に設定する（ステップＳ１１２）。そして、ＣＰＵ２１は、ステップＳ１０１に戻り、次の画像を表示モニタ１７に表示させる。
【００６０】
一方、次の画像が無い場合（ステップＳ１１１：Ｎｏ）、ＣＰＵ２１は、図５に示すフローの処理を終了させる。なお、ＣＰＵ２１は、図５に示すフローの処理を終了させず、再度、ｎ＝１に設定して画像を最初から表示するようにしても良い。ただし、ＣＰＵ２１は、ユーザによる顔補正モードの終了の指示入力を受け付けた場合には、図５に示すフローの処理を終了させることとする。
【００６１】
次に、スライドショーモードにおける電子カメラ１の動作の一例を説明する。
【００６２】
図６は、スライドショーモードにおける電子カメラ１の動作の一例を示すフローチャートである。図７は、図５に示すフローの処理後に記録媒体３０に記録されている画像の一例を示す図である。図７では、一例として、所定のフォルダに７枚の画像が記録されていることを模式的に表している。スライドショーモードにおいて、ＣＰＵ２１の選択部２１ｅは、図５に示すフローの処理後の画像を選択して表示する。
【００６３】
ここで、操作部１９がスライドショーモードの指示入力を受け付けることにより、ＣＰＵ２１は、図６に示すフローの処理を開始させる。なお、ユーザは、表示モニタ１７に画像を表示させるスライドショーと、プロジェクタ２２によるスライドショーとを選択することができる。以下のフローの処理では、ＣＰＵ２１は、プロジェクタ２２によるスライドショーの指示入力を受け付けたこととする。
【００６４】
ステップＳ２０１：ＣＰＵ２１は、先頭画像の読み出しを行なう。具体的には、ＣＰＵ２１は、図７に示した通り、記録媒体３０から１枚目（ｎ＝１）の画像を読み出す。そして、ＣＰＵ２１は、ステップＳ２０２の処理に移行する。
【００６５】
ステップＳ２０２：選択部２１ｅは、補正前の画像か否かを判定する。具体的には、選択部２１ｅは、第１識別情報と第２識別情報とに基づいて、後述する図８に示すスクリーン４０に順次表示させる画像を選択する。すなわち、選択部２１ｅは、読み出した画像データのヘッダファイルにおけるタグの識別情報を参照する。そして、識別情報が第１識別情報である場合、選択部２１ｅは、補正前の画像と判定し（ステップＳ２０２：Ｙｅｓ）、スクリーン４０に表示させない画像として選択する。そして、ＣＰＵ２１は、後述するステップＳ２０７の処理に移行する。一方、そして、識別情報が第１識別情報以外の場合、選択部２１ｅは、補正前の画像でないと判定し（ステップＳ２０２：Ｎｏ）、スクリーン４０に表示させる画像として選択する。そして、ＣＰＵ２１は、ステップＳ２０３の処理に移行する。
【００６６】
ステップＳ２０３：ＣＰＵ２１の表示制御部２１ｆは、選択部２１ｅが選択した画像をスクリーン４０に表示させる。具体的には、表示制御部２１ｆは、プロジェクタ２２の投影制御部２２ｄに画像の投影の指示を出す。投影制御部２２ｄは、先ず、ＣＰＵ２１からの指示に応じて投影部２２ｃ内のＬＥＤ光源を駆動させる。投影制御部２２ｄは、続いて、ＣＰＵ２１を介して送られてくる画像データに応じて、液晶パネルを駆動させる。さらに、投影制御部２２ｄは、画像信号に応じてＬＥＤ光源からの光を変調する。これにより、液晶パネルは、画像信号に応じた光像を生成する。投影光学系２２ｂは、液晶パネルから出射される光像に基づく投影光をミラー２２ａへ導く。ミラー２２ａは、投影窓２５から投影光を出射する。これにより、投影光は、スクリーン上や壁上で画像を形成する。
【００６７】
図８は、表示制御部２１ｆによる表示態様の一例を示す図である。表示制御部２１ｆは、識別情報が第１識別情報以外の画像をプロジェクタ２２を介してスクリーン４０に表示させる。そして、ＣＰＵ２１は、ステップＳ２０４の処理に移行する。
【００６８】
ステップＳ２０４：ＣＰＵ２１は、操作部１８を介して、スライドショー終了の指示入力の受け付けの有無を検出する。スライドショー終了の指示入力を受け付けた場合（ステップＳ２０４：Ｙｅｓ）、ＣＰＵ２１は、後述するステップＳ２０８の処理に移行する。スライドショー終了の指示入力を受け付けなかった場合（ステップＳ２０４：Ｙｅｓ）、ＣＰＵ２１は、ステップＳ２０５の処理に移行する。
【００６９】
ステップＳ２０５：表示制御部２１ｆは、プロジェクタ２２を介して予め設定された時間間隔（例えば２秒間隔）でスクリーン４０に画像を表示させる。２秒経過するまでは（ステップＳ２０５：Ｎｏ）、ＣＰＵ２１は、ステップＳ２０４に戻ることにより、ステップＳ２０４及びステップＳ２０５の処理を繰り返す。一方、２秒経過した場合（ステップＳ２０５：Ｙｅｓ）、ＣＰＵ２１は、ステップＳ２０６の処理に移行する。
【００７０】
ステップＳ２０６：ＣＰＵ２１は、次の画像が有るか否かを判定する。次の画像が有る場合（ステップＳ２０６：Ｙｅｓ）、ＣＰＵ２１は、ステップＳ２０７の処理に移行する。一方、次の画像が無い場合（ステップＳ２０６：Ｎｏ）、ＣＰＵ２１は、後述するステップＳ２０８の処理に移行する。
【００７１】
ステップＳ２０７：ＣＰＵ２１は、次の画像の読み出しを行なう。具体的には、ＣＰＵ２１は、図７に示した通り、記録媒体３０からｎ枚目（ｎ＝ｎ＋１）の画像を読み出す。そして、ＣＰＵ２１は、ステップＳ２０３の処理に移行する。
【００７２】
ステップＳ２０８：ＣＰＵ２１は、スライドショーを終了させる。そして、ＣＰＵ２１は、図６に示すフローの処理を終了させる。
【００７３】
以上より、第１実施形態の電子カメラ１では、例えばプロジェクタ機能によるスライドショーの場合、補正前の画像をスクリーン４０に表示させない。これにより、電子カメラ１では、補正前後の画像が連続して表示されないため、画像の再生が煩雑にならないで済む。従って、電子カメラ１は、ユーザの利便性を考慮した画像表示手段を提供できる。
（第２実施形態）
次に、第２実施形態について説明する。第２実施形態では、上述した顔補正モードやスライドショーモードを備えた画像処理装置について説明する。
【００７４】
図９は、第２実施形態における画像処理装置５０の構成例を示す図である。画像処理装置５０は、図９に示す通り、記録Ｉ／Ｆ部２と、ＲＡＭ３と、フラッシュメモリ４と、表示モニタ５と、通信Ｉ／Ｆ部６と、操作部７と、ＣＰＵ８と、データバス９とを備える。このうち、記録Ｉ／Ｆ部２、ＲＡＭ３、フラッシュメモリ４、表示モニタ５、通信Ｉ／Ｆ部６及びＣＰＵ８は、データバス９を介して互いに接続されている。記録Ｉ／Ｆ部２には、電子カメラ１で撮影された画像を記録した記録媒体３０や、他の電子カメラで撮影された画像を記録した記録媒体４０と接続するためのコネクタ（不図示）が形成されている。そして、記録Ｉ／Ｆ部２は、ＣＰＵ８からの指示により、そのコネクタに接続された記録媒体３０や記録媒体４０にアクセスして画像の読み出し処理等を行なうインターフェースを提供する。ＲＡＭ３は、ＣＰＵ８の作業メモリである。フラッシュメモリ４は、画像処理装置５０の制御を行なうプログラム等を予め記憶している不揮発性のメモリである。なお、上述した図５、図６に示すフローの処理で使用するプログラムが例えば記録媒体４０に記録されており、ＣＰＵ８は、このプログラムがフラッシュメモリ４に記録（インストール）されることにより、図５、図６に示すフローの処理を行なっても良い。表示モニタ５は、例えば、画像や画像処理装置５０の操作メニュー等を表示する。表示モニタ５には、液晶モニタ等を適宜選択して用いることができる。
【００７５】
通信Ｉ／Ｆ部６は、例えば、無線ＬＡＮ通信により、電子カメラ１等の他の通信機器と通信を行なう通信インターフェースを提供する。操作部７は、例えばタッチパネルの機能を備え、表示モニタ５の表示画面に接触した指先等の位置を検出することでユーザからの操作を受け付けるポインティングデバイスである。
【００７６】
ＣＰＵ８は、各種演算及び画像処理装置５０の制御を行なうプロセッサである。ＣＰＵ８は、例えばメモリ３に予め格納されたシーケンスプログラムを実行することにより、画像処理装置５０の各部の制御等を行なう。
【００７７】
また、ＣＰＵ８は、顔検出部８ａ、補正部８ｂ、識別情報付加部８ｃ、第１記録処理部８ｄ、選択部８ｅ及び表示制御部８ｆとしても機能する。ここで、顔検出部８ａ、補正部８ｂ、識別情報付加部８ｃ、第１記録処理部８ｄ、選択部８ｅ及び表示制御部８ｆについては、第１実施形態の構成（顔検出部２１ａ、補正部２１ｂ、識別情報付加部２１ｃ、第１記録処理部２１ｄ、選択部２１ｅ、及び表示制御部２１ｆ）とそれぞれ同様であるので説明を省略する。
【００７８】
次に、画像処理装置５０の動作の一例を説明する。なお、ここでは、第１実施形態で説明した記録媒体３０に記録されている画像（図７参照）を読み出すこととする。この場合には、既に、画像データに識別情報が付加されているので、ＣＰＵ８は、図５のフローの処理を実行する必要がない。そのため、操作部７がスライドショーモードの指示入力を受け付けることにより、ＣＰＵ８は、図６に示すフローの処理を開始させる。なお、第２実施形態では、表示モニタ５でスライドショーを行なうこととし、図６に示すフローの処理（ステップＳ２０１〜ステップＳ２０９）を実行するので同様の処理については重複説明を省略する。
【００７９】
また、画像処理装置５０は、例えば、記録媒体４０に記録されている画像を読み出しても良い。この場合、操作部７が顔補正モードの指示入力を受け付けることにより、ＣＰＵ８は、図５に示すフローの処理を開始させる。ここでは、図５に示すフローの処理（ステップＳ１０１〜ステップＳ１１１）を実行するので同様の処理については重複説明を省略する。そして、操作部７がスライドショーモードの指示入力を受け付けることにより、ＣＰＵ８は、図６に示すフローの処理を開始させる。これにより、電子カメラ１以外の電子カメラで撮影した画像であっても、画像処理装置５０は、上述したスライドショーを行なうことができる。
【００８０】
さらに、画像処理装置５０は、電子カメラ１と無線ＬＡＮにより、例えば図７に示した画像を受信しても良い。具体的には、画像処理装置５０の通信Ｉ／Ｆ部６は、電子カメラ１の通信部１８から無線送信されてくる画像を受信する。そして、ＣＰＵ８は、受信した画像をフラッシュメモリ４に記録する。そして、操作部７がスライドショーモードの指示入力を受け付けることにより、ＣＰＵ８は、図６に示すフローの処理を開始させても良い。
【００８１】
以上より、第２実施形態の画像処理装置５０は、第１実施形態の電子カメラ１と同様にして、補正前の画像を表示モニタ５に表示させない。これにより、画像処理装置５０では、補正前後の画像が連続して表示されないため、画像の再生が煩雑にならないで済む。従って、画像処理装置５０は、ユーザの利便性を考慮した画像表示手段を提供できる。
（上記実施形態の補足事項）
（１）第１実施形態では、スライドショーにおいてスクリーン４０に画像を表示させるようにしたが、表示モニタ１７に画像を表示させる場合には以下のような構成にしても良い。すなわち、選択部２１ｅは、補正がされた画像について、第１識別情報が付加された画像と、第２識別情報が付加された画像とを関連付けて選択する。そして、表示制御部２１ｆは、ユーザの指示入力による順送りの形式の態様で選択部２１ｅが関連付けた補正前後の画像を表示モニタ１７に表示させても良い。これにより、ユーザは、補正前後の顔を確認することができるので、再度、顔の補正をやり直す判断をすることができる。
【００８２】
従って、この（１）で説明した処理に変形しても、本発明は、ユーザの利便性を考慮した画像表示手段を提供できる。
【００８３】
（２）第１実施形態では、ユーザが顔補正モードの指示入力をすることにより、ＣＰＵ２１は、図５に示すフローの処理を実行した。ここで、ＣＰＵ２１は、撮影画像の縮小画像であるサムネイル画像形式で、撮影した画像を表示モニタ１７に表示させても良い。この場合、ユーザは、顔補正したい画像をまとめて選択することができる。具体的には、ＣＰＵ２１は、ユーザが選択した画像には、例えば、その旨を示すフラグ情報をオンにして、画像データのヘッダファイルに書き込む。ＣＰＵ２１は、図６に示すフローの処理において、ステップＳ２０２の処理を行なう前に、フラグ情報を読み出す。そして、フラグ情報がオンの場合、顔検出部２１ａは、顔検出処理を行なう。続いて、ＣＰＵ２１は、図５に示すフローの処理（ステップＳ１０６〜ステップＳ１１０）を行なっても良い。その後、ＣＰＵ２１は、図６に示すフローの処理において、ステップＳ２０２の処理を行なうようにしても良い。
【００８４】
従って、この（２）で説明した処理に変形しても、本発明は、ユーザの利便性を考慮した画像表示手段を提供できる。
【００８５】
（３）第１実施形態では、顔補正モードにおいて、記録媒体３０に記録された撮影後の画像に対して、ユーザが選択した画像に対して顔の補正処理を行なった。ここで、電子カメラ１は、顔補正モードにおいて、撮影時にＲＡＭ３に一時的に記録された画像に対して顔の補正処理を行なって、補正前の画像に第１識別情報を付加し、補正後の画像に第２識別情報を付加して記録媒体３０に記録するようにしても良い。
【００８６】
従って、この（３）で説明した処理に変形しても、本発明は、ユーザの利便性を考慮した画像表示手段を提供できる。
【００８７】
（４）第１実施形態では、スライドショーにおいてスクリーン４０に画像を表示（投影）させるようにしたが、以下のような構成にしても良い。すなわち、電子カメラ１の表示制御部２１ｆは、スライドショーの実行中に補正後の画像をスクリーン４０に所定時間表示させると共に、補正前の画像を表示モニタ１７に表示させるようにしても良い。これにより、ユーザは、スクリーン４０に表示される補正後の画像と、表示モニタ１７に表示される補正前の画像とを比較しながら、再度、顔補正モードを実行することができる。或いは、ユーザの指示入力に応じて、表示制御部２１ｆは、補正前の画像をスクリーン４０に表示させるようにしても良い。この場合、選択部２１ｅは、第１識別情報が付加された画像をスクリーン４０に表示させる画像として選択し、第２識別情報が付加された画像をスクリーン４０に表示させない画像として選択することとする。
【００８８】
従って、この（４）で説明した処理に変形しても、本発明は、ユーザの利便性を考慮した画像表示手段を提供できる。
（５）上記実施形態では、本発明の画像処理装置を備えた電子カメラ１や画像処理装置５０について説明した。しかし、本発明は、上記の実施形態に限定されない。本発明は、例えば、電子カメラ１が、ＡＶ（Ａｕｄｉｏ  Ｖｉｓｕａｌ）出力機能をさらに備え、外部の表示モニタに接続して画像を表示させるようにしても良い。或いは、本発明は、例えば、コンピュータ、携帯電話、ＤＰＦ（Ｄｉｇｉｔａｌ  Ｐｈｏｔｏ  Ｆｒａｍｅ）等の電子機器に、本実施形態のプログラムをインストールすることにより、本発明の画像処理装置として適用しても良い。
【００８９】
（６）上記実施形態では、特徴領域を顔とした。これにより、顔の補正処理が容易になる。しかし、本発明は、特徴領域は顔に限定されない。本発明は、例えば、ユーザが指定した領域を特徴領域としても良い。また、上記実施形態では、補正部２１ｂの処理を顔の補正処理とした。しかし、本発明は、顔の補正処理に限定されない。本発明は、例えば、階調変換処理、輪郭強調処理、色補間処理等の他の補正処理を行なっても良い。
【符号の説明】
【００９０】
１・・・電子カメラ、８ａ、２１ａ・・・顔検出部、８ｂ、２１ｂ・・・補正部、８ｃ、２１ｃ・・・識別情報付加部、８ｄ、２１ｄ・・・第１記録処理部、８ｅ、２１ｅ・・・選択部、８ｆ、２１ｆ・・・表示制御部、２１ｇ・・・第１記録処理部、４、１８・・・表示モニタ、７、１９・・・操作部
【図１】
2013161318.tif 000003
【図２】
2013161318.tif 000004
【図３】
2013161318.tif 000005
【図４】
2013161318.tif 000006
【図５】
2013161318.tif 000007
【図６】
2013161318.tif 000008
【図７】
2013161318.tif 000009
【図８】
2013161318.tif 000010
【図９】
2013161318.tif 000011